(57)【要約】      （修正有）【課題】清掃と同時に、清掃後の粉塵を高負圧式集塵機に直ちに回収できる、空調ダクト内洗浄システムを提供する。【解決手段】空調ダクト内面に付着・堆積した汚れ・垢・錆び・カビ等を洗浄除去する洗浄システムにおいて、殺菌洗浄するドライアイスペレットを噴射するノズル２０と、洗浄後汚れ・垢・錆び・カビ等の剥離、浮遊する汚れを、直にダクト内から吸引回収するダクトに連結したホースダクトを有する高負圧式大型集塵機と、回転させながら高圧圧縮空気を逆噴射させ、逆噴射させたエアーで剥離された汚れを、高負圧式大型集塵機に回収させるようにする高圧エアージェツト弾２３とを具備し、該高圧エアージェツト弾とこれを回転させるホース２４とは、斜めに連結することによって、強力な逆噴射力を生じさせ、清掃後の粉塵を高負圧式集塵機に直ちに回収できるようにした。【選択図】図２
2015000387.tif 000002
【特許請求の範囲】
【請求項１】
空調ダクト内面に付着・堆積した汚れ・垢・錆び・カビ等を洗浄除去する洗浄システムにおいて、殺菌洗浄するドライアイスペレットを噴射するノズルと、洗浄後汚れ・垢・錆び・カビ等の剥離、浮遊する汚れを直にダクト内から吸引回収するダクトに連結したホースダクトを有する高負圧式大型集塵機と、回転させながら高圧圧縮空気を逆噴射させ、逆噴射させたエアーで前記剥離された汚れを前記高負圧式大型集塵機に回収させるようにする高圧エアージェツト弾とを具備し、該高圧エアージェツト弾とこれを回転させるホースとは、斜めに連結することを特徴とする空調ダクト内洗浄システム。
【請求項２】
前記高圧エアージェツト弾は、先細の形状で内部に空気室を有し、空気室の空気流入方向と反対方向に多数の空気噴出孔が形成されている請求項１に記載の洗浄システム。
【請求項３】
前記エアージェツト弾と前記ホースとには、屈曲した姿勢維持金具を連結する請求項１又は２に記載の洗浄システム。
【請求項４】
ドライアイスペレットを前記ノズルに送り出す空気増幅器（エアージェツトガン）を具備し、該空気増幅器は、圧縮ドライエアーを導入し、ドライエアーを吸引し、ドライエアーと共に洗浄用ドライアイスペレットを噴出させる請求項１〜３のいずれかに記載の洗浄システム。
【請求項５】
前記ドライアイスペレットを噴射するノズルは、屈曲しており、所定の角度、両方向に回転するように構成されている請求項５に記載の洗浄システム。
【請求項６】
高圧エアーコンプレッサーからのエアーをドライエアー機で水抜きして、前記ドライアイスペレットを送り出す空気増幅器に、圧縮ドライエアー及び吸引するドライエアーとして供給する請求項４又は５に記載の洗浄システム。
【請求項７】
本発明の殺菌システムは、ダクト内を走行しながら撮影検査する照明付きビデオカメラを搭載した電動台車に設置する請求項１〜６のいずれかに記載の洗浄システム。
【請求項８】
殺菌洗浄するドライアイスペレットは、-70℃〜-80℃程度の温度である請求項１〜７のいずれかに記載の洗浄システム。
【請求項９】
前記ダクトは、病院の手術室の空調ダクトである請求項１〜８のいずれかに記載の洗浄システム。
【発明の詳細な説明】
【技術分野】
【０００１】
この発明は特に病院の手術室のクリーン度が要求される空調ダクト（給気ダクト、外気ダクト、排気ダクト等）のダクト内に付着している汚れをドライアイスで洗浄して、ダクト内面の垢・錆び・カビ等を取り除き-70℃〜-80℃程度のドライアイスを噴射し洗浄することによって、カビ・真菌等を除菌し、より清潔なダクトに再生するダクト内洗浄システムに関するものである。
本発明の洗浄システムによって、特にダクト内に堆積している塵・埃をダクト内清掃ロボット等でブラッシングして、剥離清掃する洗浄よりも、より清潔でクリーンな洗浄が達成される。
【背景技術】
【０００２】
ダクトの吹出し口は、超高性能なエアーフィルターが設置されている。従って、空調ダクト内は長年の空調機の運転によりゴミやカビ・真菌等が堆積しているが、空調機を運転することによって、これらゴミやカビ・真菌等が吹出し口から室内に出にくい。そのため、ダクト内は、著しく汚染している等の問題が指摘されて久しい。
【０００３】
従来ダクト内の清掃は、下記の方法によって行っているが、ダクト内の清掃をほぼ完璧に行うことができ、汚れ垢・錆び・カビ等を除去する実用的な方法は未だ確立されていない。特に、カビ・真菌等の除去には、従来法は殆ど効果を発揮しない。
（１）電動ロボットをダクト内に入れ、ロボットに取着した回転ブラシ等で清掃する。
（２）高圧エアーの逆噴射力で前進するエアロボットの高速回転ブラシで、ダクト内をブラッシングして堆積塵を剥離し、剥離した粉塵を、大型集塵機でダクト内を負圧にして集塵機内に回収する。
（３）（２）のエアーロボット等で清掃したあと超電解アルカリ水で洗浄する。この特許取得済の工法だと、上記方法よりもクリーンに除菌する事が出来る（特許第4237466号）。
【０００４】
（１）の方法は、内部の清掃状況を記録する事ができる長所もあるが、電動ロボットでは、ダンパー等の障害物があるので、ダクトの大小により、清掃できない部分が多くなるから汎用性がない。
【０００５】
（２）の方法は、大、中、小及び丸ダクトのダクト内まで適応できることと、高圧エアー噴射の高圧エアーロボットシステムで、ほぼ完璧に清掃可能な利点があるが、ダクト内を除菌・消臭することが不可能な難点があった。
（３）の方法は、ダクト内をアルカリ水で洗浄し除菌・消臭する事が出来るが、長年使用している古いダクトだと洗浄した汚れがダクトの継ぎ目から外部に漏れる事がある問題があった。
【０００６】
一方、本発明者は、ドライアイスで空調機を洗浄する方法を開発して先に特許出願した（特許文献１）。
【先行技術文献】
【特許文献】
【０００７】
【特許文献１】特開２０１３−１９６３７
【発明の概要】
【発明が解決しようとする課題】
【０００８】
ドライアイスで空調機を洗浄する場合は問題が無かったが、この方法でダクトを清掃すると、清掃後の粉塵を高負圧式大型集塵機に直ちに回収できずに、ダクト底面に堆積する問題が生じた。そればかりか、多くのダクトは汚れがひどいが、ドライアイスでは、この汚れを十分に除去できない場合が生じた。
【０００９】
この発明は、このような点に着目してなされたものであり、請求項１に記載の発明は、清掃と同時に清掃後の粉塵を高負圧式集塵機に直ちに回収できる空調ダクト内洗浄システムを提供することを目的とする。
【００１０】
また、請求項４に記載の発明は、上記目的に加えて、ダクトの汚れがひどい場合でも、ほぼ完璧に汚れを除去できる空調ダクト内洗浄システムを提供することを目的とする。
【課題を解決するための手段】
【００１１】
上記目的に沿う本発明の構成は、空調ダクト内面に付着・堆積した汚れ・垢・錆び・カビ等を洗浄除去する洗浄システムにおいて、殺菌洗浄するドライアイスペレットを噴射するノズルと、洗浄後汚れ・垢・錆び・カビ等の剥離、浮遊する汚れを直にダクト内から吸引回収するダクトに連結したホースダクトを有する高負圧式大型集塵機と、回転させながら高圧圧縮空気を逆噴射させ、逆噴射させたエアーで前記剥離された汚れを前記高負圧式大型集塵機に回収させるようにする高圧エアージェツト弾とを具備し、該高圧エアージェツト弾とこれを回転させるホースとは、斜めに連結することを特徴とする。
【００１２】
高圧エアージェツト弾を、ホースに斜めに連結し、回転するように構成することにより、飛び跳ねたり、あらゆる方向に進みながら逆噴射するので、床面に堆積する粉塵等を前記高負圧式大型集塵機に押しやる力が増大し、剥離、浮遊する汚れを効果的に回収することができる。
【００１３】
前記高圧エアージェツト弾は、先細の形状で内部に空気室を有し、空気室の空気流入方向と反対方向に多数の空気噴出孔を形成するのが好ましい（請求項２）。
【００１４】
前記エアージェツト弾とホースとには、屈曲した姿勢維持金具を連結するのが、屈曲状態を維持できることから好ましい（請求項３）。
【００１５】
ドライアイスペレットを前記ノズルに送り出す空気増幅器（エアージェツトガン）を具備し、該空気増幅器は、圧縮ドライエアーを導入し、ドライエアーを吸引し、ドライエアーと共に洗浄用ドライアイスペレットを噴出させるように構成するのが好ましい（請求項４）。ドライアイスペレットを勢いよくダクトに衝突させることができるので、どのような汚れでもほぼ完璧に除去することができるからである。空気増幅器にドライエアーを導入するのは、水分が多少でも含まれていると、ドライアイスペレットが結合するので、効果的に洗浄できないためである。
【００１６】
前記ドライアイスペレットを噴射するノズルは、屈曲しており、所定の角度、両方向に回転するように構成するのが、ダクト内のあらゆる方向にドライアイスペレットを衝突させることができることから好ましい（請求項５）。
【００１７】
高圧エアーコンプレッサーからのエアーをドライエアー機で水抜きして、前記ドライアイスペレットを送り出す空気増幅器に、圧縮ドライエアー及び吸引するドライエアーとして供給することにより、効果的な洗浄が達成される（請求項６）。
本発明の殺菌システムは、ダクト内を走行しながら撮影検査する照明付きビデオカメラを搭載した電動台車に設置するのが好ましい（請求項７）。
殺菌洗浄するドライアイスペレットは、-70℃〜-80℃程度の温度であるのが殺菌効果が高いことから好ましい（請求項８）。本発明の洗浄システムは、特に病院の手術室の空調ダクトの洗浄に適している（請求項９）。
【発明の効果】
【００１８】
請求項１に記載の本発明によれば、清掃と同時に清掃後の粉塵を高負圧式集塵機に直ちに完璧に回収できると共に殺菌力のあるドライアイスペレットで洗浄するので、従来除去し得なかった、真菌・カビ等をほぼ完璧に除去することによって、手術室内の除菌につながり、院内感染等を防ぐ事になり従来解決出来なかった課題を解決する事が出来る。
【００１９】
また、請求項４に記載の本発明によれば、上記効果に加えて、ドライアイスペレットを勢いよくダクトに衝突させることができるから、ダクトの汚れがひどい場合でも、ほぼ完璧に汚れを除去することができる。
【図面の簡単な説明】
【００２０】
【図１】本発明のダクト内面洗浄システムの一例を示す全体図である。
【図２】本発明のシステムの使用状態を示す側面図である。
【図３】本発明のドライアイス噴射機構部を示す断面図である。
【図４】本発明のエアージェット弾を回転させる装置を示す断面図である。
【図５】本発明のエアージェット弾の（Ａ）断面図、（Ｂ）Ａ―Ａ断面図、（Ｃ）斜視図である。
【図６】本発明に使用する高負圧式集塵機の断面図である。
【図７】本発明のドライアイス噴射機構部を示す（Ａ）平面図、（Ｂ）側面図である。
【図８】本発明の逆噴射ジェット弾機構部を示す（Ａ）平面図、（Ｂ）側面図である。
【符号の説明】
【００２１】
１：ダクト
２：天井ボード
３：電動台車
４：空調機
５：高性能エアーフィター（ヘパ）
１０：電動台車駆動伝達ギヤ（左右）
１１：電動台車上の機器の電源・信号ケーブル
１２：モニター付き操作盤
１３：照明付きビデオカメラ（電動台車前後）
１４：高負圧式大型集塵機
１５：集塵器用ホースダクト
１６：圧縮空気供給エアーホース（コンプレッサーからの）
１７：水抜き圧縮エアータンク（水抜きタンク）
１８：圧縮空気ドライエアー供給ホース（ドライアイス洗浄用供給）
１９：エアー増幅器（ドライアイスブラスト噴射用）
２０：ドライアイス噴射ノズル
２１：ドライアイス噴射ノズル回転駆動ギャードモータ
２２：ドライアイス噴射ノズル回転駆動連結ギャ
２３：逆噴射エアージェット弾
２４：逆噴射エアージェット弾を回転させるホース
２５：ドライアイス積載ボックス
２６：エアーコンプレッサー
２９：エアー増幅器への圧縮ドライエアー供給継手
３０：逆噴射エアージェット弾への圧縮ドライエアー供給ホース
３１：エアー増幅器への圧縮ドライエアー供給パイプ
３２：逆噴射エアージェット弾への圧縮ドライエアー供給パイプ
３３：逆噴射エアージェット弾回転駆動伝達ギヤ
３４：逆噴射エアージェット弾用エアーロータリージョイント回転軸
３５：逆噴射エアージェット弾用エアーロータリージョイント回転軸受
３６：逆噴射エアージェット弾用エアーロータリージョイント固定フレーム
３７：逆噴射エアージェット弾用エアーロータリージョイントＯリング
３８：逆噴射エアージェット弾用回転駆動ギャードモータ
４１：高負圧式大型集塵機の吸気口
４９：エアー水フィルター
５０：逆噴射エアージェット弾の噴射口
５１：逆噴射エアージェット弾姿勢維持固定金具（くの字形）
５２：逆噴射エアージェット弾接続用ホースバンド
５３：逆噴射エアージェット弾の半楕円状頭部フレーム
５４：逆噴射エアージェット弾の山形横断面リング状フレーム
【発明を実施するための形態】
【００２２】
次に、本発明の実施の形態を図面に基づいて説明する。
図１は、本発明のダクト内面洗浄システムの実施例を示す全体図であり、天井ボード２の上に設置してあるダクト１内の電動台車３が搬入されている。上記電動台車３は空調機４に接続されている洗浄するダクト末端に位置させ、前進・後進させるようにし、空調機４の運転は停止させている。尚、図中、５は、ダクト吹出口に設置された超高性能フィルター（ヘパ）である。台車３は、図２に示すように、電動台車クローラ用ホィール（前方の左右）６と電動台車クローラ用ホィール（後方の左右）７とを、電動台車駆動用クローラ（左右）８で連結し、電動台車駆動用ギヤードモータ（左右）９によって、電動台車駆動伝達ギヤ（左右）１０を介して、駆動するように構成されている。尚、図１中、１１は、電動台車駆動及び台車上の機器の電源・信号ケーブルであり、１２は、モニター付き操作盤である。この操作盤によって、図２に示す電動台車前部と後部に設けた照明付きビデオカメラ１３で撮影した状態を見て、洗浄状態をコントロールしたり、台車の前進・後進をコントロールするようになっている。
【００２３】
高負圧式大型集塵機１４が、高負圧式大型集塵機ホースダクト１５を介して、ダクト１に連結されている。
エアーコンプレッサー２６から圧縮空気をエアーホース１６を通して、水抜きタンク１７に供給される。供給された圧縮空気は、水抜きタンク１７とエアー水フィルター４９によって水を除いて圧縮空気（ドライエアー）として供給ホース１８・３０に供給される。供給ホース１８・３０は、電動台車３に接続され図２に示す電動台車内の供給ホース１８は、３１・３１´のパイプに供給ホース３０は、３２のパイプに供給される。供給パイプ３１は、エアー増幅器（ドライアイスブラスト噴射用）１９に、また圧縮空気（ドライエアー）供給パイプ３１´は、エアー増幅器に吹き込むものであり、ドライエアーとして吸入されるものである。供給パイプ３２は、ロータリージョイント３６に連結され、ホース２４を通して逆噴射エアージェット弾２３に圧縮空気を送るものである。
【００２４】
図２に示すように、駆動台車３の前方には、回転式のドライアイス噴射ノズル２０がセットされ、該ドライアイス噴射ノズル２０は、ダクト内面をスキャンしながらドライアイスペレットを噴射する。ドライアイスペレットを噴射ノズル２０は、４５度程度（好ましくは３０〜６０度）屈曲しており、所定の角度、ドライアイス噴射ノズル回転駆動ギャードモータ２１及びドライアイス噴射ノズル回転駆動伝達ギャ２２によって、両方向に回転するように構成されている。このように構成することにより、ダクト内のあらゆる方向にドライアイスペレットを衝突させることができる。エンドレスに回転させていないのは、逆噴射エアージェット弾２３の回転するホース２４にぶつかるからである。
尚、図１中、１１は、電源供給・信号ケーブルである。
【００２５】
この実施例においては、洗浄用ドライアイスペレットを使用している。これは、人体に対しても無害であるとともに、優れた殺菌作用を有するので、ダクト内の真菌及びカビ等を効果的に除去する事が出来る。優れた殺菌作用を有することから、温度も-70℃〜-80℃程度とするのが良い。
【００２６】
図３に示すように、ドライアイス積載ボックス２５内には、適当な大きさ（好ましくは１〜２ｍｍ）のドライアイスペレットが収容されている。
【００２７】
図３に示すように、搬送用スパイラル軸回転駆動用ギャードモータ２７によってドライアイス搬送用スパイラル軸２８を回転させ、ドライアイスペレットは、エアー増幅器１９に導入される。圧縮ドライエアー供給用継手２９によってエアー増幅器に連結されたパイプ３１を通って、圧縮ドライエアーがエアー増幅器１９に導入される。圧縮ドライエアーが図３に示すように流動して高速で吹き出すときに発生する強力な噴射力でパイプ３１´からドライエアーを吸引し、増幅されたドライエアーは、ドライアイスペレットと共にノズル２０から噴出する。ノズル２０は、屈曲しており、エアー増幅器１９に筒体３４を介して連結されている。ノズル２０は、ドライアイス噴射ノズル回転ギャードモータ２１及びドライアイス噴射ノズル回転駆動伝達ギャ２２によって、両方向に回転する。尚、図３中、符号４７は、ドライアイス噴射用ロータリージョイント軸受であり、符号３３は、ドライアイス噴射ノズルジョイントカプラーである。
【００２８】
図４に示す装置のモーター３８によって回転するホース２４先端に、図５に示す逆噴射エアージェット弾２３が連結されている。ホース２４は、回転駆動ギャードモータ３８及び回転駆動伝達ギヤ３３によって、ロータリージョイント可動軸３４と共に回転するように構成されている。圧縮ドライエアーは、ドライエアー供給ホース３０から、パイプ３２、継手４８ロータリージョイント可動軸３４及びホース２４を通って、逆噴射エアージェット弾２３に導入される。図４中、符号３５は、ロータリージョイントの軸受であり、符号３７は、ロータリージョイントの回転摺動面のＯリングである。
【００２９】
逆噴射エアージェット弾２３は、図５に示すように、ホース・姿勢維持金具５１とそれを固定するホースバンド５２によって、ホース２４に斜めに連結され、ホース２４と共に回転し得るように構成されている。このように構成することにより、逆噴射エアージェット弾２３の進行方向が変わり、エアー噴出孔５０からエアーを噴出することによって、逆噴射エアージェット弾２３が方向転換し、ダクト内をくまなく飛び跳ねることができるので、ダクト内の残留粉塵の全てを仮設の高負圧式大型集塵機内に送り込む事が出来る。図５に示すようにホース・姿勢維持金具５１をホースバンド５２でホース２４に連結するが、パイプ５３との連結には、剛性の強い針金等５２で連結するのが良く、ホース２４との連結には、テープ４０のような柔らかい材質のもので連結するのが良い。このようにホース・姿勢維持金具５１を連結することによって、逆噴射エアージェット弾２３とホース２４との屈曲状態が維持される。
【００３０】
ホース・姿勢維持金具５１は、剛性の強い材料からくの字形に屈曲しており、細い板状体からくの字形に屈曲させても、Ｒ状に凹んだ板状体からくの字形に屈曲させても良い。剛性の強い材質であるなら、３ｍｍ程度の太い針金をくの字形に屈曲させたものでも良い。
【００３１】
逆噴射エアージェット弾２３は、図５に示すように、内部が空気室の半楕円状の頭部５３に、上部が山形横断面リング状のパイプ５４を螺合した形状に構成され、頭部裏面には６個の空気噴出孔５０が形成されている。
【００３２】
高負圧式大型集塵機は、図６に示すように、ホースダクト１５により、高負圧式大型集塵機吸気口４１に連結され、ファン駆動モータ４２により高速回転駆動されるファン４３によって、中性能エアーフィルター４４及び高性能エアーフィルター４５を通って吸い込まれ、集塵された粉塵が取り除かれて大型集塵機排気口４６からエアーが排出される。
図２に示すように、台車の前方と後方には、観察目視検査用照明付きビデオカメラ（電動台車前・後）１３が設けられている。カメラで観察しながら、ダクト内面の汚れをほぼ完璧に洗浄剥離する事が出来る。洗浄と同時に図２の逆噴射エアージェット弾２３は、エアーホース２４と共に回転し、ダクト内をくまなく飛び跳ねながら残留粉塵を吹き飛ばし、高負圧式大型集塵機内に回収する。ダクト内が高負圧になっており、強力な逆噴射力との相乗効果で仮設の高負圧式大型集塵機内に高速で回収される。
【００３３】
図２に示すように、洗浄用ドライアイスは、ダクト上下面・左右両面のダクト壁面を、交互に強力なエアーの力で噴射され堆積塵を剥離する。剥離された塵埃は浮遊粉塵となり、仮設の大型集塵機内に回収吸引される。
【００３４】
電動台車３は、電動台車駆動用クローラ８で走行し電動駆動台車３の前後に搭載した観察目視検査用照明付きビデオカメラ１３によってダクト内の洗浄状況を記録・調査・検査し、その結果をみて電動台車をモニター付き操作盤１２で操作し、洗浄用ドライアイスの噴射をコントロールするようになっている。
【産業上の利用可能性】
【００３５】
本発明によれば、清掃と同時に清掃後の粉塵を高負圧式集塵機に直ちに完璧に回収できると共に殺菌力のあるドライアイスペレットで洗浄するので、従来除去し得なかった、真菌・カビ等をほぼ完璧に除去することによって、手術室内の除菌につながり、院内感染等を防ぐ事になるので、特に病院等でのその利用が期待される。
【図１】
2015000387.tif 000003
【図２】
2015000387.tif 000004
【図３】
2015000387.tif 000005
【図４】
2015000387.tif 000006
【図５】
2015000387.tif 000007
【図６】
2015000387.tif 000008
【図７】
2015000387.tif 000009
【図８】
2015000387.tif 000010